(57)【要約】【課題】廃棄物と成りうるものを事前に管理することによって、不法投棄を行った排出者、事業者を特定することが可能となり、また正しく廃棄した廃棄物の処理工程を把握、管理することで廃棄物が正しく処理されたことを管理、証明することが可能となる廃棄物管理システムを提供する。【解決手段】登録装置において、超小型の非接触型ＩＣチップ（ミューチップ）の識別情報と、製品情報と、購入者情報などを管理サーバに登録し、管理サーバにおいて、ミューチップの識別情報と、製品情報と、購入者情報などを関連付けて管理する。また、検索装置（携帯電話）より、ミューチップの識別番号を読み取り、不法投棄された廃棄物の情報を確認する。また、廃棄物が最終処理されたことを廃棄物管理装置から管理サーバに登録する。【選択図】図１
2009301203.tif 000002
【特許請求の範囲】
【請求項１】
通信網と、
超小型の非接触型ＩＣチップの識別情報、製品情報、購入者情報、および廃棄処理情報を管理する管理サーバと、
前記非接触型ＩＣチップの識別情報を読み取るリーダを搭載し、前記通信網を介して前記管理サーバに必要な情報の登録を行う登録装置と、
前記非接触型ＩＣチップの識別情報を読み取るリーダを搭載し、前記通信網を介して前記管理サーバに登録されている情報を表示する検索装置と、
前記非接触型ＩＣチップの識別情報を読み取るリーダを搭載し、前記通信網を介して前記管理サーバに登録されている情報を表示し、廃棄処理情報を前記管理サーバに追加登録する廃棄物処理管理装置とから構成される廃棄物管理システムであって、
前記登録装置は、前記搭載したリーダによって前記非接触型ＩＣチップの識別情報を読み取る手段と、
製品販売時にその製品の情報と、購入者の情報を入力する手段と、
前記読み取った前記非接触型ＩＣチップの識別情報と、入力された情報を前記通信網を介して前記管理サーバに登録する手段とを備え、
前記検索装置は、前記搭載したリーダによって廃棄物に取り付けてある前記非接触型ＩＣチップの識別情報を読み取る手段と、
前記読み取った前記非接触型ＩＣチップの識別情報を、前記通信網を介して前記管理サーバに送信する手段と、
前記管理サーバに登録されている、前記読み取った前記非接触型ＩＣチップの識別情報に関連付けて登録されている情報を、前記通信網を介して前記管理サーバから受信し、表示する手段とを備え、
前記廃棄物処理管理装置は、前記搭載したリーダによって前記非接触型ＩＣチップの識別情報を読み取る手段と、
前記読み取った前記非接触型ＩＣチップの識別情報を、前記通信網を介して前記管理サーバに送信する手段と、
前記管理サーバに登録されている、前記読み取った前記非接触型ＩＣチップの識別情報に関連付けて登録されている情報を、前記通信網を介して前記管理サーバから受信し、表示する手段と、
前記読み取った前記非接触型ＩＣチップが取り付けてある廃棄物の廃棄処理情報を入力する手段と、
入力された廃棄処理情報を、前記通信網を介して前記管理サーバに登録する手段とを備え、
前記管理サーバは、前記登録装置によって登録された前記非接触型ＩＣチップの識別情報と、製品情報と、購入者情報とを関連付けて管理する手段と、
前記検索装置、あるいは、前記廃棄物処理管理装置から送信された前記非接触型ＩＣチップの識別情報に基づき、当該識別情報に関連付けて登録されている製品情報、購入者情報を検索する手段と、
検索した結果の情報を、前記通信網を介して前記検索装置、あるいは、前記廃棄物処理管理装置に送信する手段と、
登録されている情報に前記廃棄物処理管理装置から送信された廃棄処理情報を関連付けて管理する手段とを備えることを特徴とする廃棄物管理システム。
【発明の詳細な説明】
【技術分野】
【０００１】
本発明は、廃棄物管理システムに係り、特に、廃棄物に超小型の非接触型ＩＣチップ（ミューチップ）を取り付け、超小型の非接触型ＩＣチップの識別情報を読み取り、ネットワークを介してそれらの情報を管理サーバで管理することにより、廃棄物処理管理を行う方法に関する。
【背景技術】
【０００２】
従来の廃棄物管理では、法による規制の強化、地域住民による協力要請や夜間パトロール、投棄されやすい場所への監視カメラの設置、事業者の事業内容の報告と公表など人手で管理している。
しかしながら、不法投棄を行った排出者や事業者を特定することは難しく、また事業者などによる産業廃棄物管理(マニュフェスト)の偽造などにより、廃棄物が正しく最終処理されたことの証明や不法投棄されたことを認定することは難しい。
一方、廃棄物の収集時に、廃棄物に混入されたＩＤタグから廃棄物情報を読み取ることによって廃棄物情報を収集することができる廃棄物収集管理システムが知られている。（下記、特許文献１参照）
【０００３】
なお、本願発明に関連する先行技術文献としては以下のものがある。
【特許文献１】特開２００８−４１０５４号公報
【発明の開示】
【発明が解決しようとする課題】
【０００４】
前述したように、従来の廃棄物管理では、不法投棄がされた後不法投棄を行った排出者や事業者を特定すること、また廃棄物が正しく最終処理されたことを証明や不当投棄されたことを認定することは難しかった。
また、前述の特許文献１に記載されているシステムも、不法投棄がされた後不法投棄を行った排出者や事業者を特定すること、また廃棄物が正しく最終処理されたことを証明や不当投棄されたことを認定するシステムではない。
本発明は、前記従来技術の問題点を解決するためになされたものであり、本発明の目的は、廃棄物となりうるものを事前に管理することによって、不法投棄を行った排出者、事業者を特定することが可能となり、また正しく廃棄した廃棄物の処理工程を把握、管理することで廃棄物が正しく処理されたことを管理、証明することが可能となる廃棄物管理システムを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の課題を達成するために、本発明は、通信網と、超小型の非接触型ＩＣチップの識別情報、製品情報、購入者情報、および廃棄処理情報を管理する管理サーバと、前記非接触型ＩＣチップの識別情報を読み取るリーダを搭載し、前記通信網を介して前記管理サーバに必要な情報の登録を行う登録装置と、前記非接触型ＩＣチップの識別情報を読み取るリーダを搭載し、前記通信網を介して前記管理サーバに登録されている情報を表示する検索装置と、前記非接触型ＩＣチップの識別情報を読み取るリーダを搭載し、前記通信網を介して前記管理サーバに登録されている情報を表示し、廃棄処理情報を前記管理サーバに追加登録する廃棄物処理管理装置とから構成される廃棄物管理システムであって、
前記登録装置は、前記搭載したリーダによって前記非接触型ＩＣチップの識別情報を読み取る手段と、製品販売時にその製品の情報と、購入者の情報を入力する手段と、前記読み取った前記非接触型ＩＣチップの識別情報と、入力された情報を前記通信網を介して前記管理サーバに登録する手段とを備え、
前記検索装置は、前記搭載したリーダによって廃棄物に取り付けてある前記非接触型ＩＣチップの識別情報を読み取る手段と、前記読み取った前記非接触型ＩＣチップの識別情報を、前記通信網を介して前記管理サーバに送信する手段と、前記管理サーバに登録されている、前記読み取った前記非接触型ＩＣチップの識別情報に関連付けて登録されている情報を、前記通信網を介して前記管理サーバから受信し、表示する手段とを備え、
前記廃棄物処理管理装置は、前記搭載したリーダによって前記非接触型ＩＣチップの識別情報を読み取る手段と、前記読み取った前記非接触型ＩＣチップの識別情報を、前記通信網を介して前記管理サーバに送信する手段と、前記管理サーバに登録されている、前記読み取った前記非接触型ＩＣチップの識別情報に関連付けて登録されている情報を、前記通信網を介して前記管理サーバから受信し、表示する手段と、前記読み取った前記非接触型ＩＣチップが取り付けてある廃棄物の廃棄処理情報を入力する手段と、入力された廃棄処理情報を、前記通信網を介して前記管理サーバに登録する手段とを備え、
前記管理サーバは、前記登録装置によって登録された前記非接触型ＩＣチップの識別情報と、製品情報と、購入者情報とを関連付けて管理する手段と、前記検索装置、あるいは、前記廃棄物処理管理装置から送信された前記非接触型ＩＣチップの識別情報に基づき、当該識別情報に関連付けて登録されている製品情報、購入者情報を検索する手段と、検索した結果の情報を、前記通信網を介して前記検索装置、あるいは、前記廃棄物処理管理装置に送信する手段と、登録されている情報に前記廃棄物処理管理装置から送信された廃棄処理情報を関連付けて管理する手段とを備えることを特徴とする。
【発明の効果】
【０００６】
本願において開示される発明のうち代表的なものによって得られる効果を簡単に説明すれば、下記の通りである。
本発明によれば、廃棄物となりうるものを事前に管理することによって、不法投棄を行った排出者、事業者を特定すること、また正しく廃棄した廃棄物の処理工程を把握、管理することで廃棄物が正しく処理されたことを管理、証明することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の廃棄物管理システムの全体構成を示す概略ブロック図である。
図１において、１０１は、製品Ａに取り付けられた超小型の非接触型ＩＣチップ（以下、ミューチップという）、１０２はミューチップの識別情報（以下、ミューチップＩＤという）を読み取るミューチップリーダ、１０３はミューチップリーダを搭載した登録装置、１０４は登録装置１０３の表示部で、液晶ディスプレイ（ＬＣＤ）で構成される。
１０５は、ミューチップＩＤと、製品情報、購入者情報とを関連付けて管理する管理サーバであり、１０６は前記情報を登録・保存しておくデータベース（ＤＢ）を示す。
１０７は、廃棄物Ｂに取り付けられたミューチップ、１０８はミューチップＩＤを読み取るミューチップリーダ、１０９はミューチップリーダを搭載した検索装置（ここでは、携帯電話）である。
１１０は、廃棄物Ｃに取り付けられたミューチップ、１１１はミューチップＩＤを読み取るミューチップリーダ、１１２はミューチップリーダを搭載した廃棄物処理管理装置、１１３は廃棄物処理管理装置１１２の表示部で、液晶ディスプレイ（ＬＣＤ）から構成される。
１１４は、登録装置１０３、検索装置１０９、管理サーバ１０５、および廃棄物処理管理装置１１２が接続されているインターネット等の有線および無線の通信網である。
【０００８】
図２は、図１に示す登録装置１０３の表示部１０４に表示される表示画面の一例を示す図であり、販売する製品Ａの情報を入力する表示画面を示す図である。
図２において、２０１は、製品情報入力画面、２０２は、販売する製品名の入力部である販売製品名入力部、２０３は、製品型番を入力する製品型番入力部、２０４は、製品の製造者を入力する製造者入力部を示す。
図３は、図１に示す登録装置１０３の表示部１０４に表示される表示画面の他の例を示す図であり、製品Ａを購入する購入者の情報を入力する表示画面を示す図である。
図３において、３０１は、購入者情報入力画面、３０２は、購入者名（もしくは購入企業名）を入力する入力部、３０３は、購入者（もしくは購入企業）の住所を入力する購入者住所入力部、３０４は、購入者（もしくは購入企業）の連絡先を入力する購入者連絡先入力部を示す。
【０００９】
図４は、図１に示す管理サーバ１０５における、登録装置１０３より送信されたミューチップＩＤと製品情報、購入者情報を登録する処理手順を示すフローチャートである。
初めに、管理サーバ１０５は、ミューチップリーダ１０２より読み取られ、通信網１１４を介して登録装置１０３より送信されたミューチップＩＤを取得（受信）する（ステップ４０１）。
次に、ステップ４０１で取得したミューチップＩＤがデータベース１０６に登録されているか否かを検索し（ステップ４０２）、ステップ４０２での検索結果より取得したミューチップＩＤが既に登録されているかを判定する（ステップ４０３）。
ステップ４０３で「ＹＥＳ」の場合、登録装置１０３の表示部１０４の表示画面にエラー画面を表示させ（ステップ４０７）、処理を終了する。
ステップ４０３で「ＮＯ」の場合、製品情報入力画面２０１にて入力され登録装置１０３より送信された製品情報を取得（受信）し（ステップ４０４）、購入者情報入力画面３０１にて入力され登録装置１０３より送信された購入者情報を取得（受信）する（ステップ４０５）。
次に、取得したミューチップＩＤ、製品情報、購入者情報を関連付けてデータベース１０６に登録する（ステップ４０６）。
【００１０】
図５は、図１に示す検索装置１０９の表示部に表示される表示画面の一例を示す図であり、データベース１０６に登録されている情報の検索結果を表示する表示画面を示す図である。
図５において、５０１は、検索装置画面、５０２は、登録されている製品名の検索結果を表示する製品名検索結果表示部、５０３は、製品型番の検索結果を表示する製品型番検索結果表示部、５０４は、購入者名の検索結果を表示する購入者名検索結果表示部、５０５は、購入日の検索結果を表示する購入日検索結果表示部、５０６は、廃棄日情報を表示する廃棄日情報表示部である。
廃棄日情報表示部５０６には、登録されている製品が正しく廃棄されている場合は廃棄処理日を、廃棄処理情報が登録されていない場合にはその旨を表示する。
【００１１】
図６は、図１に示す管理サーバ１０５における、検索装置１０９より送信されたミューチップＩＤより登録情報を検索し検索装置１０９に検索結果を表示させる処理手順を示すフローチャートである。
初めに、管理サーバ１０５は、ミューチップリーダ１０８より読み取られ、通信網１１４を介して検索装置１０９より送信されたミューチップＩＤを取得（受信）する（ステップ６０１）。
次に、ステップ６０１で取得したミューチップＩＤがデータベース１０６に登録されているか否かを検索し（ステップ６０２）、ステップ６０２での検索結果より、取得したミューチップ情報がデータベース１０６に存在するか否か判定する（ステップ６０３）。
ステップ６０３で「ＮＯ」の場合、検索装置１０９の表示部にエラー画面を表示させ（ステップ６０８）、処理を終了する。
ステップ６０３で「ＹＥＳ」の場合、ミューチップＩＤと関連付けて登録されている製品情報、購入者情報を取得し（ステップ６０４）、取得した製品の廃棄処理情報が存在するか否かを判定する（ステップ６０５）。
ステップ６０５で「ＹＥＳ」の場合、取得した製品情報、購入者情報、廃棄処理情報を、通信網１１４を介して検索装置１０９に送信する（ステップ６０６）。
ステップ６０５で「ＮＯ」の場合、取得した製品情報、購入者情報と廃棄処理情報が存在しない旨のメッセージを、通信網１１４を介して検索装置１０９に送信する（ステップ６０７）。
【００１２】
図７は、図１に示す廃棄物処理管理装置１１２の表示部１１３に表示される表示画面の一例を示す図であり、データベース１０６に登録されている廃棄する製品の情報を表示し、処理情報を入力するか否かを選択させる表示画面を示す図である。
図７において、７０１は、廃棄製品情報表示画面、７０２は、登録されている製品名を表示する製品名表示部、７０３は、製品型番の検索結果を表示する製品型番検索結果表示部、７０４は、購入者名の検索結果を表示する購入者名検索結果表示部、７０５は、購入日を表示する購入日表示部であり、７０６は、表示している製品の廃棄処理情報を入力する入力操作選択ボタンを示す。
図８は、図１に示す廃棄物処理管理装置１１２の表示部１１３に表示される表示画面の他の例を示す図であり、入力操作選択ボタン７０６の操作ボタンが選択された場合に表示され、対象の廃棄物の廃棄処理情報を入力する表示画面を示す図である。
図８において、８０１は、廃棄情報入力画面、８０２は、廃棄物を処理した日付を入力する廃棄処理日入力部、８０３は、廃棄物処理業者の業者名を入力する処理業者名入力部、８０４は、廃棄物処理業者の住所を入力する処理業者住所入力部、８０５は、廃棄物処理業者の連絡先を入力する処理業者連絡先入力部を示し、８０６は、入力した情報をデータベース１０６に登録する登録操作選択ボタン、８０７は登録処理を中止させる中止操作選択ボタンを示す。
【００１３】
図９は、図１に示す管理サーバ１０５における、廃棄物処理管理装置１１２より送信されたミューチップＩＤより登録情報を検索し、廃棄物処理管理装置に廃棄処理を行う製品の登録情報を表示させ、廃棄処理情報をデータベース１０６に登録する処理手順を示すフローチャートである。
初めに、管理サーバ１０５は、ミューチップリーダ１１１より読み取られ、通信網１１４を介して廃棄物処理管理装置１１２より送信されたミューチップＩＤを取得（受信）する（ステップ９０１）。
次に、ステップ９０１で取得したミューチップＩＤがデータベース１０６に登録されているか否かを検索し（ステップ９０２）、ステップ９０２より取得したミューチップ情報がデータベース１０６に存在するか否かを判定する（ステップ９０３）、
ステップ９０３で「ＮＯ」の場合、廃棄物処理管理装置１１２の表示部１１３にエラー画面を表示させ（ステップ９１１）、処理を終了する。
ステップ９０３で「ＹＥＳ」の場合、ミューチップＩＤに関連付けて登録されている製品情報、購入者情報を取得し（ステップ９０４）、ステップ９０４で取得した製品情報、購入者情報を、廃棄物処理管理装置１１２の表示部１１３に表示させる（ステップ９０５）。
次に、図７に示した廃棄製品情報表示画面７０１において、入力操作選択ボタン７０６の選択ボタンが選択されたか否かを判定し（ステップ９０６）、ステップ９０６で「ＮＯ」の場合は、前述のステップ９０５、ステップ９０６の処理を繰り返す。
ステップ９０６で「ＹＥＳ」の場合、図８に示した廃棄情報入力画面８０１を表示させ（ステップ９０７）、図８に示した廃棄情報入力画面８０１において登録操作選択ボタン８０６の操作ボタンが選択されたか否かを判定する（ステップ９０８）。
ステップ９０８で「ＮＯ」の場合は、前述のステップ９０７、ステップ９０８の処理を繰り返す。
ステップ９０８で「ＹＥＳ」の場合、図８に示した廃棄情報入力画面８０１において入力された廃棄処理情報を取得し（ステップ９０９）、ステップ９０９で取得した廃棄処理情報をデータベース１０６に登録する（ステップ９１０）。
【００１４】
図１０は、本発明の実施例の廃棄物管理システムの不法投棄検索時の運用を説明するための図である。
図１０に示すように、（１）購入者Ａが製品１を購入する際に、（２）販売者Ｂは登録装置１０３を用いてミューチップＩＤ、製品情報、購入者情報を管理サーバ１０５に登録し、（３）登録したミューチップを製品１に取り付け販売する。
そして、（４）購入者Ａが購入した製品１を不法投棄し（製品１は廃棄物１となる）、（５）パトロール者Ｃが廃棄物１を発見した際に、（６）パトロール者Ｃは検索装置（携帯電話）１０９を用いてミューチップＩＤを読み込み、管理サーバ１０５に登録されている情報を検索し、検索結果が検索装置（携帯電話）１０９の表示部に表示されることにより、（７）不法投棄を行った排出者・事業者を特定させることが可能となる。
【００１５】
図１１は、本発明の実施例の廃棄物管理システムの廃棄処理時の運用を説明するための図である。
図１１に示すように、（１）購入者Ａが製品２を購入する際に、（２）販売者Ｂは登録装置１０３を用いてミューチップＩＤ、製品情報、購入者情報を管理サーバ１０５に登録し、（３）登録したミューチップを製品２に取り付け販売する。
そして、（４）購入者Ａが廃棄物処理業者Ｄに製品２の廃棄依頼を行い（購入者Ａは廃棄者Ａとなる）、（５）処理業者Ｄは製品２を廃棄処理する際に、廃棄物処理管理装置１１２を用いて管理サーバ１０５に登録されている情報を検索し、検索結果の情報にさらに廃棄情報を登録することにより、廃棄した廃棄物の処理工程を管理することが可能となり、（６）登録した廃棄情報を廃棄者Ａに送信することで製品２が正しく廃棄処理されたことを証明することが可能となる。
以上説明したように、本実施例によれば、廃棄物となりうるものを事前に管理することによって、不法投棄を行った排出者、事業者を特定すること、また正しく廃棄した廃棄物の処理工程を把握、管理することで廃棄物が正しく処理されたことを管理、証明することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１６】
【図１】本発明の実施例の廃棄物管理システムの全体構成を示す概略ブロック図である。
【図２】図１に示す登録装置の表示部に表示される表示画面の一例を示す図であり、販売する製品Ａの情報を入力する表示画面を示す図である。
【図３】図１に示す登録装置の表示部に表示される表示画面の他の例を示す図であり、製品Ａを購入する購入者の情報を入力する表示画面を示す図である。
【図４】図１に示す管理サーバにおける、登録装置より送信されたミューチップＩＤと製品情報、購入者情報を登録する処理手順を示すフローチャートである。
【図５】図１に示す検索装置の表示部に表示される表示画面の一例を示す図であり、データベースに登録されている情報の検索結果を表示する表示画面を示す図である。
【図６】図１に示す管理サーバにおける、検索装置より送信されたミューチップＩＤより登録情報を検索し検索装置に検索結果を表示させる処理手順を示すフローチャートである。
【図７】図１に示す廃棄物処理管理装置の表示部に表示される表示画面の一例を示す図であり、データベースに登録されている廃棄する製品の情報を表示し、処理情報を入力するか否かを選択させる表示画面を示す図である。
【図８】図１に示す廃棄物処理管理装置の表示部に表示される表示画面の他の例を示す図であり、入力操作選択ボタンの操作ボタンが選択された場合に表示され、対象の廃棄物の廃棄処理情報を入力する表示画面を示す図である。
【図９】図１に示す管理サーバにおける、廃棄物処理管理装置より送信されたミューチップＩＤより登録情報を検索し、廃棄物処理管理装置に廃棄処理を行う製品の登録情報を表示させ、廃棄処理情報をデータベースに登録する処理手順を示すフローチャートである。
【図１０】本発明の実施例の廃棄物管理システムの不法投棄検索時の運用を説明するための図である。
【図１１】本発明の実施例の廃棄物管理システムの廃棄処理時の運用を説明するための図である。
【符号の説明】
【００１７】
１０１，１０７，１１０  ミューチップ（超小型の非接触型ＩＣチップ）
１０２，１０８，１１１  ミューチップリーダ
１０３  登録装置
１０４，１１３  表示部
１０５  管理サーバ
１０６  データベース
１０９  検索装置（携帯電話）
１１２  廃棄物処理管理装置
１１４  通信網
２０１  製品情報入力画面
２０２  販売製品名入力部
２０３  製品型番入力部
２０４  製造者入力部
３０１  購入者情報入力画面
３０２  購入者名入力部
３０３  購入者住所入力部
３０４  購入者連絡先入力部
５０１  検索装置画面
５０２  製品名検索結果表示部
５０３  製品型番検索結果表示部
５０４  購入者名検索結果表示部
５０５  購入日検索結果表示部
５０６  廃棄日情報表示部
７０１  廃棄製品情報表示画面
７０２  製品名表示部
７０３  製品型番検索結果表示部
７０４  購入者名検索結果表示部
７０５  購入日表示部
７０６  入力操作選択ボタン
８０１  廃棄情報入力画面
８０２  廃棄処理日入力部
８０３  処理業者名入力部
８０４  処理業者住所入力部
８０５  処理業者連絡先入力部
８０６  登録操作選択ボタン
８０７  中止操作選択ボタン
【図１】
2009301203.tif 000003
【図２】
2009301203.tif 000004
【図３】
2009301203.tif 000005
【図４】
2009301203.tif 000006
【図５】
2009301203.tif 000007
【図６】
2009301203.tif 000008
【図７】
2009301203.tif 000009
【図８】
2009301203.tif 000010
【図９】
2009301203.tif 000011
【図１０】
2009301203.tif 000012
【図１１】
2009301203.tif 000013